(57)【要約】【課題】  光の輝きと泡の挙動による幻想的な視覚効果をより一層高めることができ、形状の多様化も容易で、しかも、構造も簡単な発光装飾器具を提供すること。【解決手段】  作動液11が減圧封入された環状パイプ１であって、当該環状パイプ１を、下部に受熱管部12を備え、かつ、上部には放熱管部13を備えて構成する一方、前記受熱管部12と放熱管部13を少なくとも一部が透明な昇降管部14・14にて連通して、前記受熱管部12の近傍に配設された加熱機構から受熱した際において前記作動液11及びその蒸気が当該環状パイプ１内を循環可能であり、かつ、前記環状パイプ１の受熱管部12には、上向きに膨出する蒸気膨張室を上昇管部内に気泡を供給するために設ける一方、放熱管部13にも、上向きに膨出する蒸気収縮室を形成し、更に、前記環状パイプ１の周囲には作動液11を発光せしめる光源を配設した【選択図】  図１
2008194899.tif 000002
【特許請求の範囲】
【請求項１】
作動液11が減圧封入された環状パイプ１であって、当該環状パイプ１は、下部に受熱管部12を備え、かつ、上部に放熱管部13を備えて構成される一方、前記受熱管部12と放熱管部13は、少なくとも一部が透明な昇降管部14a・14bにて連通されて、前記受熱管部12の近傍に配設された加熱機構Ｈから受熱した際において前記作動液11及びその蒸気が当該環状パイプ１内を循環可能であり、かつ、前記環状パイプ１の受熱管部12には、上向きに膨出する蒸気膨張室Ｅが上昇管部14a内に気泡を供給するために設けられる一方、放熱管部13には上向きに膨出する蒸気収縮室Ｓが形成され、更に、前記環状パイプ１の周囲には作動液11を発光せしめる光源Ｌが配設されていることを特徴とする発光装飾器具。
【請求項２】
環状パイプ１の受熱管部12に光源Ｌが配置され、当該光源Ｌの発熱を加熱機構Ｈとして兼用していることを特徴とする請求項１記載の発光装飾器具。
【請求項３】
環状パイプ１に封入された作動液11に蛍光性染料、又は発光性染料が混合されていることを特徴とする請求項１または２に記載の発光装飾器具。
【請求項４】
環状パイプ１に収容する作動液11に界面活性剤を添加して起泡性が増大されていることを特徴とする請求項１〜３の何れか一つに記載の発光装飾器具。
【請求項５】
環状パイプ１の昇降管部14a・14bに、循環作動時において作動液11に乱流を生じせしめる攪乱室Ｄが形成されていることを特徴とする請求項１〜４の何れか一つに記載の発光装飾器具。
【請求項６】
環状パイプ１の攪乱室Ｄ内に小球が付設されていることを特徴とする請求項５記載の発光装飾器具。
【請求項７】
環状パイプ１における受熱管部12と放熱管部13とに上昇管部14a、及び／又は下降管部14bが複数配設されていることを特徴とする請求項１〜６の何れか一つに記載の発光装飾器具。
【発明の詳細な説明】
【技術分野】
【０００１】
本発明は、発光装飾器具の改良、詳しくは、光の輝きと泡の挙動による幻想的な視覚効果をより一層高めることができ、形状の多様化も容易で、しかも、構造も非常に簡単な発光装飾器具に関するものである。
【背景技術】
【０００２】
周知のとおり、室内を豪華に、又は独創的な雰囲気に演出する際において、視覚効果に優れた発光型のオブジェやシャンデリア等の照明器具が頻繁に用いられる。
【０００３】
そして、このような発光装飾器具としては、透明な単管材内部に作動液が充填された透明な単管の下部に光源を配置し、更に、その光源の発熱を利用して気泡をさせ、その気泡が上昇する挙動と、気泡を介した光の散乱による視覚的効果を利用して幻想的な雰囲気を創出する器具が従来において公知となっている（例えば、特許文献１参照）。
【０００４】
しかしながら、上記従来の装飾器具においては、単に気泡が発生するのみで管内部の作動液には何ら変動がなく、しかも、光源の発熱が低温度域であった場合には発生する離脱気泡の数が極端に少なくなってしまったため、演出効果の面白みに欠ける部分があった。
【０００５】
また、単管型の形態では直線形やジグザグ形、波形等に形状が限定されてしまったことから、複雑な立体形状で作製することが難しく、加えて、装飾器具を大型化したい場合には多数の単管を並べて固定しなければならない等、非常に不便であった。
【０００６】
一方、従来においては、ポンプと接続された環状管に作動液を充填し、当該ポンプによって気泡を発生させると同時に、作動液と気泡とを圧送することにより環状管内を循環させる技術も公知となっている（例えば、特許文献２参照）。
【０００７】
しかしながら、上記の従来技術を発光装飾器具に適用した場合には、構造が非常に複雑になってしまうことから、装飾器具の小型化や製造コストの低減化を図ることが非常に困難であった。
【０００８】
また、ポンプの圧送を利用した場合、作動液と気泡の動きが人工的な印象で味わいに欠けてしまい、加えて、ポンプ内部で稼動するモーターの回転音が不快な雑音となって幻想的な雰囲気を損なってしまう虞れがあった。
【特許文献１】実開平１−１２５７００号公報（第２−７頁、第１〜４図）
【特許文献２】特開２００２−３６７９８号公報（第２−４頁、第１図）
【発明の開示】
【発明が解決しようとする課題】
【０００９】
本発明は、上記の如き問題に鑑みて為されたものであり、その目的とするところは、光の輝きと泡の挙動による幻想的な視覚効果をより一層高めることができ、形状の多様化も容易で、しかも、構造も簡単な生産性に優れた発光装飾器具を提供することにある。
【課題を解決するための手段】
【００１０】
本発明者が、上記課題を解決するために採用した手段を添付図面を参照して説明すれば次のとおりである。
【００１１】
即ち、作動液11が減圧封入された環状パイプ１であって、当該環状パイプ１を、下部に受熱管部12を備え、かつ、上部には放熱管部13を備えて構成する一方、前記受熱管部12と放熱管部13を少なくとも一部が透明な昇降管部14a・14bにて連通して、前記受熱管部12の近傍に配設された加熱機構Ｈから受熱した際において前記作動液11及びその蒸気が当該環状パイプ１内を循環可能であり、かつ、前記環状パイプ１の受熱管部12には、上向きに膨出する蒸気膨張室Ｅを上昇管部14a内に気泡を供給するために設ける一方、放熱管部13にも、上向きに膨出する蒸気収縮室Ｓを形成し、更に、前記環状パイプ１の周囲には作動液11を発光せしめる光源Ｌを配設した点に特徴がある。
【００１２】
また、本発明においては、上記課題を解決するために、必要に応じて上記手段に加え、環状パイプ１の受熱管部12に光源Ｌが配置され、当該光源Ｌの発熱を加熱機構Ｈとして利用するという技術的手段を採用することができる。
【００１３】
また、本発明においては、上記課題を解決するために、必要に応じて上記手段に加え、環状パイプ１に封入された作動液11に蛍光性染料、又は発光性染料を混合するという技術的手段を採用することができる。
【００１４】
また、本発明においては、上記課題を解決するために、必要に応じて上記手段に加え、環状パイプ１に収容する作動液11に界面活性剤を添加して起泡性を増大するという技術的手段を採用することができる。
【００１５】
また、本発明においては、上記課題を解決するために、必要に応じて上記手段に加え、環状パイプ１の昇降管部14a・14bに、循環作動時において作動液11に乱流を生じせしめる攪乱室Ｄを形成するという技術的手段を採用することができる。
【００１６】
また、本発明においては、上記課題を解決するために、必要に応じて上記手段に加え、環状パイプ１の攪乱室Ｄ内に小球を付設するという技術的手段を採用することができる。
【００１７】
また、本発明においては、上記課題を解決するために、必要に応じて上記手段に加え、環状パイプ１における受熱管部12と放熱管部13とに上昇管部14a、又は／及び下降管部14bを複数配設するという技術的手段を採用することができる。
【発明の効果】
【００１８】
本発明では、下部に蒸気膨張室を備えた受熱管部を、上部に蒸気収縮室を備えた放熱管部を有し、かつ、それらを連通する昇降管に透明部材を使用して作製した環状パイプにおいて、環状パイプの内部に作動液を真空封入し、更に、環状パイプの周囲には作動液を発光させるための光源を配設して構成したことにより、受熱管部を加熱した際、蒸気膨張室から放出された気泡が上昇管部を上昇すると同時に、その上昇力によって作動液を環状パイプ内で循環させることができるため、上昇管内を浮上あるいは下降管内を降下していく気泡の挙動に加え作動液の流動及びその流動によって複雑微妙に変化する光の照り輝きが一層幻想的な雰囲気を醸し出すことができる動的意匠効果に優れた発光装飾器具を作製した。
【００１９】
しかも、環状パイプの受熱管部に設けた蒸気膨張室によって気泡の発生が促進され、上昇管内の気泡数も増加することから、光の散乱によって起るきらきらとした気泡の煌きを充分に堪能することができる。
【００２０】
なお、環状パイプの放熱管部に設けた蒸気収縮室が減圧タンクの役割を果たすことによって、加熱時に環状パイプの内圧が過剰に増大して環状パイプが破裂する心配もなく、非常に安全である。
【００２１】
また、装飾器具として環状パイプの形態を採ったことにより、昇降管の数を増やせば簡単に器具の大型化を図ることができ、そして更に、その昇降管の形状や配置を工夫すれば装飾器具を複雑で意匠性の高い立体形状で容易に作製することができる。
【００２２】
そしてまた、本発明における発光装飾器具はポンプ等の強制循環手段が不要であることから、構造が極めて簡単であり、器具の小型化や製造コストの低減化を図ることも可能である。
【００２３】
したがって、本発明により、極めて独創的な視覚効果を発揮することができ、しかも、器具のデザイン自由度も非常に高い発光装飾器具を安価に提供できることから、本発明の実用的利用価値は頗る高い。
【発明を実施するための最良の形態】
【００２４】
『実施例１』
まず、本発明の実施例１について、図１及び図２に基いて詳細に説明する。まず、符号１で指示するものは、環状パイプである。
【００２５】
以下、本実施例の構成を詳しく説明する。まず、本実施例においては、作動液11を封入する環状パイプ１を、ステンレス管から成る受熱管部12及び放熱管部13と、透明なガラス管から成る昇降管部14a・14bとを連通して作製した（図１、図２参照）。
【００２６】
そして、環状パイプ１の受熱管部12には上方に膨出した蒸気膨張室Ｅを設ける一方、環状パイプ１の放熱管部13にも上方に膨出した蒸気収縮室Ｓを形成した。
【００２７】
次いで、環状パイプ１に収容する作動液11として水を使用し、当該水を低沸点状態となるように環状パイプ１内に減圧封入した。
【００２８】
そして更に、環状パイプ１の受熱管部12の下部には作動液11を発光させるための光源Ｌとして白熱電球を配置し、更に当該白熱電球の発熱を加熱機構Ｈとしても利用できるように構成した。
【００２９】
上記のように構成したことによって、受熱管部12を加熱した際、蒸気膨張室Ｅから放出された気泡Ｂが上昇管部14aを上昇すると同時に、その上昇力によって作動液11を環状パイプ１内で循環させることができるため、上昇管内を浮上する気泡Ｂあるいは下降管内を降下する気泡Ｃの挙動に加え作動液11の流動及びその流動によって複雑かつ微妙に変化する光の照り輝きが一層幻想的な雰囲気を醸し出すことができる。
【００３０】
しかも、環状パイプ１の受熱管部12に設けた蒸気膨張室Ｅによって気泡Ｂの発生が促進され、上昇管14a内の気泡数も増大することから、光の散乱によって起る気泡の煌きも充分に堪能できる。
【００３１】
特に、本実施例においては、環状パイプ１の作動液11にチオフラビンＴを含んだ黄色の蛍光性染料を混合したため、作動液１が色鮮やかに発光して視覚的効果を格段に高めることができる。
【００３２】
なお、作動液11に混合する蛍光性染料としては、チオフラビンＴだけでなく青白色のジアミノスケルベンや青緑色のウラニン、黄橙色のエオシン、赤色のローダミンＢ、その他の有色蛍光物質を含有したものであってもよい。
【００３３】
また、環状パイプ１の放熱管部13に設けた蒸気収縮室Ｓが減圧タンクの役割を果たすことによって、加熱時に環状パイプ１の内圧が過剰に増大して環状パイプ１が破裂する心配もなく、非常に安全性である。
【００３４】
そして、環状パイプ１と光源Ｌとから成る構造は極めて簡単であるため、器具の小型化や製造コストの低減化を図ることも容易である。
【００３５】
そしてまた、環状パイプ１に収容した作動液11には、界面活性剤である脂肪酸塩を添加しているため、起泡性が向上して気泡Ｂの発生が促進され気泡ポンプの効果を飛躍的に向上することができる。
【００３６】
さらに、本実施例では、蒸気膨張室Ｅ内部に沸騰石Ｆを付設したことによって、突沸が抑制されて装置始動時における蒸気発生が抵抗なく起り、特に装置サイズを小さくした場合にあっては瞬時に気泡ポンプ作用が起って熱移動が極めて有効に開始した。
【００３７】
なお、上記沸騰石Ｆの代用物としては、極細毛管を丸めて成る塊状物等を使用することもできる。
【００３８】
また、環状パイプ１に封入する作動液11には、水よりも沸点の低いエチルアルコールを使用することもでき、それによって離脱気泡の発生温度を低下させて光源Ｌが低温度域かつ低温度差の加熱しか行えない場合であっても作動液11を循環させることができる。
【００３９】
『実施例２』
次に、本発明の実施例２について図３に基いて以下に説明する。本実施例では、一本の下降管部14bを軸としてその周囲に複数の受熱管12・12…及び上昇管部14a・14a…を連通して設けることにより、意匠性の高い複雑な立体形状の環状パイプ１を構成し、更に当該環状パイプ１の下方に光源Ｌを配置し、環状パイプ１の上部に吊支部材を取着することによって間接照明具として使用可能な発光装飾器具を作製した（図３参照）。
【００４０】
また本実施例では、環状パイプ１の上昇管部14aとして下降管部14bよりも管径が小さい管状部材を使用することにより、受熱管部12を加熱した際における上昇管部14aにおける気泡ポンプ作用が強くなると共に、放熱管部13から下降管14bへの流入抵抗が低減して、作動液11の上部停留（フラッディング）を回避することができる。
【００４１】
また、環状パイプ１の上昇管14aの管径を下降管14bのそれより大きくすることにより作動流体およびその気泡Ｂを大量に上昇させて、活発な流体の動きを楽しむことも受熱管部12に対する加熱温度の調節により可能である。
【００４２】
さらに、環状パイプ１の昇降管部14a・14bに、循環作動時において作動液11に乱流を生じせしめる攪乱室Ｄを形成し、更に当該攪乱室Ｄ内には有色の小さなガラス球Ｇを封入したことにより、作動液11が循環する際、それと連動してガラス球Ｇが攪乱室Ｄ内で揺動する様子が視覚的に楽しめるだけでなく、ガラス球Ｇが攪乱室Ｄの内壁に衝突し、その衝突により発生する微音が鈴の音のような心地好い音色となってノスタルジックな雰囲気を演出することも可能となる。
【００４３】
なお、環状パイプ１の攪乱室Ｄ内に、高輝度反射性を有した微細な粒状物を付設してその散乱状態を視覚的に楽しめるようにしてもよく、また、小球の材質も攪乱室Ｄの内壁との衝突音が耳障りでないものであればガラス材料に限らず、金属材料やセラミック材料、鉱物等であってもよい。
【００４４】
『実施例３』
次に、本発明の実施例３について図４に基いて以下に説明する。本実施例では、環状パイプ１の受熱管部12と放熱管部13とを複数の上昇管部14a・14a…及び下降管部14b・14b…で接続して構成したことにより、大型の装飾器具を作製した（図４参照）。
【００４５】
そして、本実施例では、環状パイプ１の周囲に配置する光源Ｌとしてブラックライト蛍光灯を用いたことにより、作業液11が無色透明な液体であっても鮮やかな発光色を付与することができる。
【００４６】
また、環状パイプ１の管材としてブラックライトにより蛍光を発する材料、例えばウラニウムガラスなどを用いてもよい。
【００４７】
そして更に、本実施例では環状パイプ１の受熱管部12に設けた蒸気膨張室Ｅの基部を細く形成したことにより、上昇管部14a内の気泡数を増加させて気泡Ｂによる光の散乱効果を高めることができる。
【００４８】
『実施例４』
次に、本発明の実施例４について図５及び図６に基いて以下に説明する。本実施例においては、耐熱性材料から収容ケース２を作製し、当該収容ケース２の上部に設けた係止部21に環状パイプ１を取付け、更に、収容ケース２の下部には光源Ｌである白熱電球を配置固定することによって、透明な昇降管14a・14bのみを観賞することができ、置物のインテリアとしての使用に適した発光装飾器具を作製した（図５、図６参照）。
【００４９】
本発明は、概ね上記のように構成されるが、図示の実施形態に限定されるものでは決してなく、「特許請求の範囲」の記載内において種々の変更が可能であって、例えば、環状パイプ１に充填収容する作動液11には、水やエチルアルコールだけでなく、使用に適した液体であれば低融点金属等、何れを採用してもよく、環状パイプ１に関しても図７に示すような二重螺旋形など、独創的な視覚効果を狙った様々な形態で作製することができる。
【００５０】
また、環状パイプ１の作動液11に添加する界面活性剤にも、脂肪酸塩だけでなく、陰イオン系、陽イオン系、非イオン系、及び両性イオン系の界面活性剤の中から適宜選択して使用することができる。
【００５１】
加えて、環状パイプに封入する作動液11には、蛍光性染料でなくとも蓄光性を有した発光性染料や光輝性を有する金属粉末材料、温度に合わせて色が変化する可逆性示温材料等を混合して装飾性の向上を図ることもできる。
【００５２】
また、作動液11に沸点の極めて低い材料を用いる場合には、環状パイプ１の受熱管部12を手で握るなどして体温程度の熱を加えるだけでも当該装置を駆動することが可能であるため、玩具等としての利用もできる。
【００５３】
さらに、本発明における発光装飾器具は、図８に示すように加熱機構Ｈにヒーター31付きの水槽３を使用することによって、光源Ｌと機能を分離した構成としても勿論よく、また、環状パイプ１の放熱管部13に冷却機構として吸熱機構やファン等の放熱促進機構を設けて作動液11の流動を速めることにより躍動感も高めてもよい。
【００５４】
そしてまた、上昇管部14a内に有効に気泡が連続して供給されれば蒸気膨張室Ｅの数や形態、設置位置を変更してもよく、環状パイプ１に配設する光源Ｌに関しても、可視光線の照射に適したハロゲンランプ(halogen lamp)やタングステンランプ(tungsten lamp)、キセノンランプ(xenon lamp)、水銀灯(mercury lamp)、ＥＬランプ、ＬＥＤランプ等を使用することができる。
【００５５】
また、本発明の発光装飾器具は、シャンデリアや壁掛け照明具、又はオブジェの一部に組み込まれる形態であってもよく、何れも本発明の技術的範囲に属する。
【産業上の利用可能性】
【００５６】
近年では、個人の好みが多様化したことによりインテリア業界においても独創性が強く求められるようになった。そして最近では特に、家屋や自動車の室内を簡単にロマンティックで印象的な雰囲気へと変えることができる光装飾技術に対する注目が非常に大きい。
【００５７】
そのような中で、本発明の発光装飾器具は、非常に幻想的な室内空間を実現するだけでなく、小型な装飾品から大型の装飾品まで様々な条件に対応することができるデザイン自由度に優れた装飾技術であることから、市場における需要は大きく、本発明の産業上の利用価値は非常に高いと云える。
【図面の簡単な説明】
【００５８】
【図１】本発明の実施例１における発光装飾器具を表わした全体斜視図である。
【図２】本発明の実施例１における発光装飾器具を表わした説明断面図である。
【図３】本発明の実施例２における発光装飾器具を表わした全体斜視図である。
【図４】本発明の実施例３における発光装飾器具を表わした説明断面図である。
【図５】本発明の実施例４における発光装飾器具を表わした全体斜視図である。
【図６】本発明の実施例４における発光装飾器具を表わした説明断面図である。
【図７】本発明の変形例における発光装飾器具を表わした全体斜視図である。
【図８】本発明の変形例における発光装飾器具を表わした説明断面図である。
【符号の説明】
【００５９】
１  環状パイプ
11  作動液
12  受熱管部
13  放熱管部
14a  上昇管部
14b  下降管部
２  収容ケース
３  水槽
31  ヒーター
Ｌ  光源
Ｈ  加熱機構
Ｅ  蒸気膨張室
Ｓ  蒸気収縮室
Ｂ  上昇気泡
Ｃ  降下気泡
Ｆ  沸騰石
Ｄ  攪乱室
Ｇ  ガラス球
【図１】
2008194899.tif 000003
【図２】
2008194899.tif 000004
【図３】
2008194899.tif 000005
【図４】
2008194899.tif 000006
【図５】
2008194899.tif 000007
【図６】
2008194899.tif 000008
【図７】
2008194899.tif 000009
【図８】
2008194899.tif 000010